(57)【要約】【課題】ゲーム機の前扉をキャビネットに対し、より良好な閉鎖性を持って施錠することができるゲーム機の施錠装置を提供する。【解決手段】基枠体１の内側に施錠杆１０が摺動可能に配設され、施錠杆１０には鉤部が背面側に向けて突設される。取付板２の中間部にシリンダ錠７がその錠軸を取付板に設けた孔から内側に差込むように固定される。錠軸の先端に施錠杆と係合するカム部材８が固定される。施錠杆１０にはその上部と下部に第１鉤部１１と第２鉤部１２が設けられ、この間に間隔をおいて第３鉤部１３と第４鉤部１４が背面に向けて突設される。受け金具２０にはそれらの鉤部が係止される係止部２１〜２４が突設され、解錠時に施錠杆１０を解錠位置に保持し、前扉３１の閉鎖時に解錠位置の保持を解除する解錠位置保持機構が設けられる。【選択図】図２
2006334063.tif 000002
【特許請求の範囲】
【請求項１】
取付板と支持板を設けた基枠体の内側に施錠杆が摺動可能に配設され、該施錠杆には鉤部が背面側に向けて突設され、該取付板の中間部にシリンダ錠がその錠軸を取付板に設けた孔から内側に差込むように固定され、該錠軸の先端に前記施錠杆と係合するカム部材が固定され、前記基枠体の取付板がゲーム機の前扉に縦に取付けられ、キャビネット側に取付けられた受け金具の係止部に前記鉤部が係止されて前扉を施錠するゲーム機の施錠装置において、
前記施錠杆にはその上部と下部に鉤部が設けられる一方、上部と下部の鉤部の間に間隔をおいて１つまたは複数の鉤部が背面に向けて突設され、前記受け金具には各鉤部が係止される複数の係止部が突設され、解錠時に該施錠杆を解錠位置に保持し、前扉の閉鎖時に該解錠位置の保持を解除する解錠位置保持機構が設けられたことを特徴とするゲーム機の施錠装置。
【請求項２】
前記受け金具はキャビネットの前開口部の略縦全体に位置するように縦長に形成され、該受け金具の側面に、閉鎖時に前記基枠体の支持板の縁部が嵌入する嵌入部が設けられ、閉鎖時に該基枠体の支持板の縁部が該嵌入部に嵌入したとき、該支持板と重なり合って位置するガード壁が該受け金具の正面側に延設されていることを特徴とする請求項１記載のゲーム機の施錠装置。
【請求項３】
前記解錠位置保持機構は、前記施錠杆に揺動可能に枢支された揺動保持部材と、該揺動保持部材を係止側に付勢するばね部材とから構成され、シリンダ錠によってカム部材が回動し該施錠杆が解錠位置まで摺動したとき、該揺動保持部材の係止片が基枠体の一部に係止されて当該位置を保持することを特徴とする請求項１記載のゲーム機の施錠装置。
【請求項４】
施錠完了時に前記施錠杆の動きをロックするロック部材が前記基枠体の支持板に取り付けられ、該ロック部材は解錠時、カム部材の回動に応じてロックを解除すること特徴とする請求項１又は２記載のゲーム機の施錠装置。
【発明の詳細な説明】
【技術分野】
【０００１】
本発明は、スロットマシン等のゲーム機の前扉の内側に取り付けられ、前扉をキャビネットに対し施錠するゲーム機の施錠装置に関する。
【背景技術】
【０００２】
ゲーム機の前扉をキャビネットに対し施錠する施錠装置として、取付板と支持板からなる縦長の基枠体の内側に、施錠杆が摺動可能に配設され、施錠杆の上部と下部に鉤部が一体に突出して形成され、取付板の中間部にシリンダ錠がその錠軸を取付板の内側に差込むように固定され、錠軸の先端に施錠杆と係合するカム部材が固定された構造の施錠装置が、下記特許文献１などで知られている。
【０００３】
この種の施錠装置は、施錠杆がコイルばねによりその施錠側に付勢され、施錠装置を取り付けた前扉をキャビネットに対し閉じると、施錠杆の上部と下部の鉤部が、キャビネット側の受け金具に接触して摺動し、そして係止凹部が係止部に達して、コイルばねの付勢力で施錠位置に戻り、施錠状態となる。
【０００４】
また、この種の施錠装置は、上部と下部の２本の鉤部によって前扉をロックするため、通常の場合には、縦長の筐体を有するスロットマシンなどのキャビネットであっても、その前扉を良好に施錠することができる。
【特許文献１】実開平２−３７８４号公報
【発明の開示】
【発明が解決しようとする課題】
【０００５】
しかしながら、不正解錠を目的として、キャビネットの前開口部と前扉の合わせ面に、バールなどの不正器具を差し込んで、前扉をこじ開けようとする力が加えられた場合、上部と下部の２本の鉤部では、前扉の閉鎖保持力が不十分となり、キャビネットの前開口部と前扉間の周縁部の合わせ面に生じた隙間が広がり、不正解錠が行なわれ易くなる虞があった。
【０００６】
本発明は、上記の課題を解決するためになされたもので、ゲーム機の前扉をキャビネットに対し、より良好な閉鎖性を持って施錠することができるゲーム機の施錠装置を提供することを目的とする。
【課題を解決するための手段】
【０００７】
上記の目的を達成するために、本発明の請求項１の施錠装置は、取付板と支持板を設けた基枠体の内側に施錠杆が摺動可能に配設され、該施錠杆には鉤部が背面側に向けて突設され、該取付板の中間部にシリンダ錠がその錠軸を取付板に設けた孔から内側に差込むように固定され、該錠軸の先端に前記施錠杆と係合するカム部材が固定され、前記基枠体の取付板がゲーム機の前扉に縦に取付けられ、キャビネット側に取付けられた受け金具の係止部に前記鉤部が係止されて前扉を施錠するゲーム機の施錠装置において、前記施錠杆にはその上部と下部に鉤部が設けられる一方、上部と下部の鉤部の間に間隔をおいて１つまたは複数の鉤部が背面に向けて突設され、前記受け金具には各鉤部が係止される複数の係止部が突設され、解錠時に該施錠杆を解錠位置に保持し、前扉の閉鎖時に該解錠位置の保持を解除する解錠位置保持機構が設けられたことを特徴とする。
【０００８】
また、請求項２の発明は、上記請求項１の施錠装置において、前記受け金具がキャビネットの前開口部の略縦全体に位置するように縦長に形成され、該受け金具の側面に、閉鎖時に前記基枠体の支持板の縁部が嵌入する嵌入部が設けられ、閉鎖時に該基枠体の支持板の縁部が該嵌入部に嵌入したとき、該支持板と重なり合って位置するガード壁が該受け金具の正面側に延設されていることを特徴とする。
【０００９】
また、請求項３の発明は、上記請求項１の施錠装置において、前記解錠位置保持機構が、前記施錠杆に揺動可能に枢支された揺動保持部材と、該揺動保持部材を係止側に付勢するばね部材とから構成され、シリンダ錠によってカム部材が回動し該施錠杆が解錠位置まで摺動したとき、該揺動保持部材の係止片が基枠体の一部に係止されて当該位置を保持することを特徴とする。
【００１０】
さらに、請求項４の発明は、請求項１記載の施錠装置において、施錠完了時に前記施錠杆の動きをロックするロック部材が前記基枠体の支持板に取り付けられ、該ロック部材は解錠時、カム部材の回動に応じてロックを解除すること特徴とする。
【発明の効果】
【００１１】
上記請求項１の施錠装置によれば、施錠杆の上部と下部に鉤部が設けられる一方、上部と下部の鉤部の間に１つまたは複数の鉤部が設けられ、前扉を閉鎖した際、少なくとも３つの鉤部が受け金具の係止部に係止されるから、従来の２個の鉤部を有した施錠装置に比べ、閉鎖保持力がより増大し、バールなどによる前扉のこじ開けを防止することができる。
【００１２】
また、解錠時に施錠杆を解錠位置に保持し、前扉の閉鎖時に解錠位置の保持を解除する解錠位置保持機構を設けることにより、前扉の閉鎖時、前扉をより軽く良好に閉じることができる。すなわち、従来のスライド式の施錠杆を有する施錠装置では、前扉を閉鎖する際、施錠杆の鉤部が受け金具の係止部に接触し、その反力を施錠杆の長手方向に受けて施錠杆が摺動し、ロックされるため、鉤部が３個或はそれ以上になると、鉤部と係止部間の摩擦抵抗が増大し、前扉を閉じる力が大きく必要となるところ、施錠杆の解錠位置保持機構を設け、解錠時に施錠杆を解錠位置に保持し、前扉の閉鎖時に解錠位置の保持を解除する構成とすれば、前扉の閉鎖時に鉤部と係止部間の摩擦抵抗が殆ど発生せず、鉤部の数に関わらず、前扉を軽く閉じることができる。
【００１３】
また、請求項２の発明によれば、前扉の閉鎖時、受け金具のガード壁によって前扉とキャビネット間の縦の隙間が完全に閉鎖され、施錠装置の施錠杆などの内部機構がガード壁により外側に対しガードされる状態となる。また、前扉の閉鎖時、施錠装置の基枠体の支持板の縁部が受け金具の嵌入部に嵌入するから、キャビネットに固定された受け金具と前扉に固定された施錠装置とは強固に一体化された状態となる。特に、前扉の隙間にバール状の不正工具を差し込んでこじ開けようとしたとき、前扉に横方向の大きな荷重がかかり、前扉がキャビネットに対し横方向にずれて、前扉の隙間が開く場合があるところ、基枠体の支持板の縁部が受け金具の嵌入部に嵌入して両者が一体化することより、堅強な構造となり、横方向の荷重に対する曲げ強度と閉鎖保持力が増大し、こじ開けによる不正解錠を防止することができる。
【００１４】
また、請求項４の発明によれば、施錠完了時にロック部材が施錠杆の動きをロックするから、仮に不正な針金などを内側に差し込み、施錠杆を動かして不正解錠を行なおうとしても、施錠状態の施錠杆はロック部材によりロックされているから、不正解錠を防止することができる。
【発明を実施するための最良の形態】
【００１５】
以下、本発明の実施例を図面に基づいて説明する。図１はスロットマシンの施錠装置の正面図を、図２はその左側面図を、図３はその背面図を、図４はその右側面図を示している。さらに、図５は施錠装置の分解左側面図を示し、図６は基枠体１の背面図を示している。
【００１６】
施錠装置の基枠を形成する基枠体１は、図６に示されるように、断面略Ｌ字形に形成されたＬ形アングル部材の正面側に、補助取付板４を固定して形成される。基枠体１における正面側に平面形状が現われる部分が、取付板２として形成され、取付板２から背面側に垂直に立ち上がる部分が、支持板３として形成される。基枠体１はその基枠部分をＬ形アングル部材とすることにより曲げ強度を増大させ、さらにその正面側に補助取付板４を固定することにより、基枠体１を堅強なものとしている。支持板３は後述の施錠杆１０の幅より幅広に形成され、内側の施錠杆１０やカム部材８を不正解錠から保護する保護壁を形成するようにしている。
【００１７】
取付板２には、装置を前扉３１の内側に取り付けるために複数の取付孔が穿設され、取付板２の略中央において幅広に形成された補助取付板４には、後述のシリンダ錠７を差し込むための挿入孔が形成される。このシリンダ錠７の挿入孔は正面視で支持板３の左側に位置する補助取付板４に形成され、支持板３を保護壁としてシリンダ錠７の錠軸やカム部材８をその内側に隠し、不正解錠から保護される構造としている。また、支持板３の下部における上方寄りには、背面側に突出して支持ローラ１８の取付部が設けられ、支持ローラ１８はその取付部に回転自在に軸支される。
【００１８】
縦長で帯状の施錠杆１０が正面視で支持板３の左側に沿って上下に摺動可能に配設される。施錠杆１０にはその上部と下部に第１鉤部１１と第２鉤部１２が背面側に突出して一体に形成される一方、第１鉤部１１と第２鉤部１２の間に第３鉤部１３と第４鉤部１４が同様に背面側に突出して一体に形成されている。これらの第１鉤部１１〜第４鉤部材１４はフック状に形成されてその中間部に係合凹部を有し、解錠操作時には後述の揺動保持部材１５により解錠位置に保持される。そして、前扉３１を閉じたとき、揺動保持部材１５が解錠位置の保持を解除してコイルばね９ａの付勢力により施錠位置（上方）に摺動し、後述の受け金具２０の各係止部２１，２２，２３，２４に係止される構造である。
【００１９】
図５に示すように、施錠杆１０には４個のガイド孔が穿設され、それらの各ガイド孔にガイドピン６ａ〜６ｄが挿入され、各ガイドピン６ａ〜６ｄの先端は支持板３に設けた座部に固定される。支持板３の座部は施錠杆１０側に少し突出して形成され、施錠杆１０を支持板３から多少浮かせて摺動可能に支持する構造としている。さらに、図５に示すように、施錠杆１０の中間部には、シリンダ錠７の錠軸に固定されたカム部材８が係合する係合部１０ａが長孔として形成される。さらに、この施錠杆１０は、施錠状態においてロック部材１６によりその動きがロックされるところ、そのロック部材１６の一部が係止される係止部１０ｂが第３鉤部１３の少し上方に形成されている。また、施錠杆１０の略中央に、ばね掛け部１０ｄが設けられ、このばね掛け部１０ｄと基枠体１の補助取付板４との間に、コイルばね９ａが掛け渡されている。このコイルばね９ａにより施錠杆１０は施錠方向つまり上方に付勢される。
【００２０】
さらに、解錠時の解錠状態において、この施錠杆１０は後述の揺動保持部材１５の動作によって解錠位置に保持され、その揺動保持部材１５の係止片１５ａが内側から外側に向けて挿通される挿通孔１０ｃが、図５のように施錠杆１０の第１鉤部１１の下方位置に形成されている。
【００２１】
揺動保持部材１５は、図５に示すように、枢支ピン１５ｃによって揺動可能に、施錠杆１０の内側に枢支され、その末端の係止片１５ａが施錠杆１０の挿通孔１０ｃから正面視で左側に少し突き出すように装着される。これにより、揺動保持部材１５は施錠杆１０と共に移動し、揺動動作する。さらに、揺動保持部材１５の先端に設けたばね掛け部１５ｂと施錠杆１０との間に、コイルばね９ｃが掛け渡されている。この揺動保持部材１５は、枢支ピン１５ｃを軸に前後方向に揺動可能であるところ、コイルばね９ｃによって、その係止片１５ａを取付板２側に揺動させるように付勢される。すなわち、図２、図５に示すように、基枠体１の取付板２の対応位置にストッパ部２ａが形成され、施錠杆１０が解錠位置に摺動したとき、コイルばね９ｃの付勢力により揺動保持部材１５が揺動し、その係止片１５ａをストッパ部２ａに係止されるようにしている。
【００２２】
一方、取付板２の一部を形成する補助取付板４に穿設された挿入孔には、フランジ部付きのシリンダ錠７が前面側に突き出すように挿入され、そのフランジ部をねじ又はかしめで補助取付板４に固定して装着される。シリンダ錠７の錠軸には第一係合部８ａと第二係合部８ｂを持つカム部材８が固定される。図３の反時計方向にカム部材８を回動させた場合、カム部材８の第一係合部８ａは施錠杆１０の係合部１０ａに係合し、施錠杆１０を下方に摺動させ、４個の鉤部１０ａ〜１０ｄを下側に移動させて解錠する。
【００２３】
図５に示すように、支持板３におけるカム部材８の近傍位置には、施錠杆１０を施錠位置でロックするためのロック部材１６が、枢支ピン１６ａにより支持板３の内側面に揺動可能に枢支される。このように支持板３に枢支されるロック部材１６には、その先端にばね掛け部１６ｃが正面視で左側に突出して形成され、その係止部となるばね掛け部１６ｃと施錠杆１０との間にコイルばね９ｂが掛け渡される。そして、この係止部兼用のばね掛け部１６ｃは、コイルばね９ｂの付勢力により、施錠杆１０の対応位置に設けた係止部１０ｂに係止される側に付勢されている。
【００２４】
したがって、施錠状態において、施錠杆１０はロック部材１６のばね掛け部１６ｃが係止部１０ｂに進入して係止され、その移動をロックされた状態となる。さらに、ロック部材１６の末端には、ロック解除用係合部１６ｂがカム部材８側に突出して形成されている。このロック解除用係合部１６ｂは、シリンダ錠７の解錠操作時にカム部材８が解錠方向に回動したとき、その最初の段階で、第一係合部８ａにより押下げられ、ロック部材１６は非ロック位置に、つまり図１０のようにばね掛け部１６ｃを係止部１０ｂから退出させる。これにより、施錠杆１０のロックが解除されて、解錠方向に移動可能となり、その状態で、施錠杆１０はカム部材８の回動により下降して解錠が行なわれる。
【００２５】
さらに、図５のように、スイッチ作動杆１７が支持板３と施錠杆１０の間に摺動可能に配設される。スイッチ作動杆１７には、その上部に係合部１７ａがカム部材８の第二係合部８ｂと係合可能に設けられ、カム部材８が図３の時計方向に回動したとき、その第二係合部８ｂが係合部１７ａに係合し、スイッチ作動杆１７は上方に摺動する。スイッチ作動杆１７と補助取付板４との間に、コイルばね９ｄが装着され、スイッチ作動杆１７はコイルばね９ｄにより下方に付勢されている。スイッチ作動杆１７の下部には、正面視で左側に突出して作動片１７ｂが設けられ、補助取付板４の下部に非接触スイッチ１９が取り付けられ、スイッチ作動杆１７が上方に摺動したとき、作動片１７ｂが非接触スイッチ１９に作用して、スイッチをオンオフ動作させる構造である。
【００２６】
このように構成された施錠装置は、図９に示すように、スロットマシンの前扉３１の内側に、シリンダ錠７の先端を前面に露出させ、第１鉤部１１〜第４鉤部１４をキャビネット３０側に向けた状態で、取付板２と固定ねじを用いて縦に取付けられる。一方、キャビネット３０の前開口部の正面視で右側の側壁の内側には、受け金具２０が縦に固定される。
【００２７】
受け金具２０は、図７、図８に示すように、その本体が縦長の帯状金属板から形成され、特にその長さは、キャビネット３０の前開口部の上端から下端まで全体にわたって当接するように長尺に形成され、また、受け金具２０の前側には、図８のように、ガード壁２５が本体と同じ長さの帯状金属板を本体の前部に張り合わせ、且つ幅を拡幅するように固定されている。このように、受け金具２０は２枚の金属板を張り合わせることにより、非常に剛性を高くして幅広に形成され、キャビネット３０の縦辺部を補強すると共に、前扉３１との間に生じやすい隙間を塞ぐ機能を有している。
【００２８】
さらに、受け金具２０には、正面視で左側面に、４個の係止部２１，２２，２３，２４が上記施錠杆１０の第１鉤部１１〜第４鉤部１４に対応した位置に、内側に突出して設けられる。また、受け金具２０には、上記基枠体１の支持板３の背面側縁部を嵌入させるために、複数のスリット状の嵌入部２６が、係止部２１〜２４の間と係止部２１の上方、及び係止部２４の下方に、合計６箇所に分かれて形成されている。
【００２９】
これらの嵌入部２６は、金属板からなる受け金具本体の一部を階段状に折り曲げ、支持板３の縁部を嵌入可能な凹部を、ガード壁２５との間に形成している。ガード壁２５は、嵌入部２６より前方に突出し、キャビネット３０の前縁部と前扉３１との間に生じやすい隙間を、ガード壁２５により閉鎖するものである。さらに、受け金具２０の係止部２２の上方には、上述の揺動保持部材１５の先端部が前扉３１を閉じた際、当接する当接部２８が設けられ、キャビネット３０に対し前扉３１を閉じたとき、揺動保持部材１５の先端がこの当接部２８に当り、それにより、揺動保持部材１５が揺動して施錠杆１０の解錠位置保持を解除する。また、受け金具２０の下部には、上記支持板３の下部に設けた支持ローラ１８が閉鎖時に乗り上げる滑り板２７が設けられている。このような受け金具２０は、図１０のように、ガード壁２６がキャビネット３０の右側の側壁の前開口縁部を覆うように取り付けられている。
【００３０】
前扉３１が閉じられ、施錠された状態においては、図９のように、施錠杆１０の第１鉤部１１〜第４鉤部１４が各々、受け金具２０の係止部２１，２２，２３，２４に係止され、さらに、基枠体１の支持板３の縁部が、受け金具２０の全体にわたり複数形成された嵌入部２６に嵌め込まれて、施錠状態となっている。
【００３１】
したがって、４個の第１鉤部１１〜第４鉤部１４と受け金具２０の係止部２１，２２，２３，２４の係止により、充分な閉鎖保持力で前扉３１を閉鎖すると共に、嵌入部２６への支持板３の嵌入により、前扉３１側の施錠装置が強固に受け金具２０と一体となってロックされる。このため、バールなどの不正工具により前扉３１が横方向に大荷重を受けたような場合、施錠装置の基枠体１と受け金具２０によりその荷重を受けて、前扉３１の変形や隙間の拡大を阻止し、不正解錠を効果的に防止することができる。
【００３２】
また、施錠状態においては、ロック部材１６がそのばね掛け部の係止部１６ａを施錠杆１０の係止部１０ｂに係止して施錠杆１０の動きをロックするから、仮に不正な針金などを内側に差し込み、施錠杆を動かして不正解錠を行なおうとしても、施錠状態の施錠杆１０はロック部材１６によりロックされ、不正解錠を防止することができる。
【００３３】
前扉３１をキーにより解錠する場合は、キーでシリンダ錠７の錠軸を回し、カム部材８を図３反時計方向に回転させる。このとき、カム部材８の第一係合部８ａが、先ずロック部材１６の係合部１６ｂに係合して、ロック部材１６を図１０の如く時計方向に回動させ、ロック部材１６の係止部兼用のばね掛け部１６ｃと施錠杆１０の係止部１０ｂとの係合を外してロックを解除する。更に、第１係合部８ａが施錠杆１０の係合部１０ａと係合してこれを下方へ摺動させ、図１０のように、４個の鉤部１１〜１４を下方に移動させる。
【００３４】
この鉤部１１〜１４の移動によって、キャビネット３０側の受け金具２０の各係止部２１〜２４との係合が外れ、前扉３１は開放される。そして、上記のように解錠操作してキャビネット３０から前扉３１が開放されると、当接部２８による揺動保持部材１５の先端部の押さえが外れるため、揺動保持部材１５がコイルばね９ｃの付勢力により図１０の時計方向に回動する。このとき、揺動保持部材１５の係止片１５ａが取付板２の係止部２ａに係止され、図１０のように、施錠杆１０が解錠位置に保持される。また、ロック部材１６は、キーを解錠方向に回したとき、図１０のように時計方向に回動した状態となるが、キーを元の位置に戻せば、ロック部材１６はコイルばね９ｂの力により、図１１のような状態に戻り、揺動保持部材１５及び施錠杆１０は解除位置に保持される。
【００３５】
そして次に、開放された前扉３１を施錠する場合、前扉３１をキャビネット３０に対し軽く押して閉じる。このとき、先ず、図１１に示す揺動保持部材１５の先端がキャビネット３０側の受け金具２０の当接部２８に当接し、図の反時計方向に揺動保持部材１５が押されて回動するため、その係止片１５ａと取付板２の係止部２ａとの係合が外れ、同時に前扉３１が閉鎖位置に達する。このとき、施錠杆１０はその係止が外れるため、コイルばね９ａの付勢力によって上方（施錠方向）に移動し、施錠杆１０の第１鉤部〜第４鉤部１１〜１４は、図９、図１２のように、受け金具２０の係止部２１〜２４に各々係止され、施錠状態となる。
【００３６】
このように、本発明の施錠装置によれば、施錠杆１０に設けた４つの鉤部１１〜１４が受け金具２０の係止部２１〜２４に係止されるから、従来の２個の鉤部を有した施錠装置に比べ、閉鎖保持力がより増大し、バールなどによる前扉のこじ開けを防止することができる。また、施錠杆１０の解錠位置保持機構として揺動保持部材を設け、解錠時に施錠杆１０を解錠位置に保持し、前扉の閉鎖時に解錠位置の保持を解除するから、前扉３１の閉鎖時に鉤部１１〜１４と係止部２１〜２４間の摩擦抵抗が殆ど発生せず、鉤部の数に関わらず、前扉３１を軽く閉じることができる。
【００３７】
さらに、受け金具２０にはガード壁２５が固定されて補強され、施錠時、基枠体１の支持板３の縁部が受け金具１０の嵌入部２６に嵌入し、施錠装置と受け金具２０が一体に組み付いて施錠されるから、その構造は非常に堅強となって、バールなどを使用したこじ開けにより、前扉３１に横方向の荷重がかけられても、前扉の横方向のズレは阻止され、こじ開けによる不正解錠を防止することができる。
【００３８】
なお、上記実施形態では、スロットマシンの施錠装置について説明したが、パチンコ機などの他のゲーム機の施錠装置に適用することもできる。また、上記では施錠杆に４個の鉤部を設けたが、３個または５個の鉤部を設けて構成することもできる。
【図面の簡単な説明】
【００３９】
【図１】本発明の一実施形態を示す施錠装置の正面図である。
【図２】その左側面図である。
【図３】その背面図である。
【図４】その右側面図である。
【図５】施錠装置の分解側面図である。
【図６】基枠体１の背面図である。
【図７】受け金具２０の正面図である。
【図８】受け金具２０の左側面図である。
【図９】使用状態における前扉を施錠した状態の断面付き左側面図である。
【図１０】使用状態における前扉を開放した状態の断面付き左側面図である。
【図１１】使用状態における前扉を開放した状態の断面付き左側面図である。
【図１２】使用状態における前扉を施錠した状態の内側からの斜視図である。
【符号の説明】
【００４０】
１−基枠体
２−取付板
３−支持板
７−シリンダ錠
８−カム部材
１０−施錠杆
１１−第１鉤部
１２−第２鉤部
１３−第３鉤部
１４−第４鉤部
１５−揺動保持部材
１６−ロック部材
２０−受け金具
２１，２２，２３，２４−係止部
２５−ガード壁
２６−嵌入部
【図１】
2006334063.tif 000003
【図２】
2006334063.tif 000004
【図３】
2006334063.tif 000005
【図４】
2006334063.tif 000006
【図５】
2006334063.tif 000007
【図６】
2006334063.tif 000008
【図７】
2006334063.tif 000009
【図８】
2006334063.tif 000010
【図９】
2006334063.tif 000011
【図１０】
2006334063.tif 000012
【図１１】
2006334063.tif 000013
【図１２】
2006334063.tif 000014